(57)【要約】【課題】シャツに対するタイの取り付け機能が改善されたタイクリップを提供する。【解決手段】タイクリップは、本体部（１１）と弾性タブ（１２）とを有し、弾性タブ（１２）が本体部（１１）の面（１６）に面するとともに、本体部（１１）に対して拘束される第１端部（１３）と、第２自由端部（１５）とを備える。タブ（１２）は、本体部（１１）に向けられた第１弾性押し付け力成分（Ａ）を備える。別の弾性部材（１８）は本体部（１１）のその面（１６）に拘束され、タブ（１２）に向けられた第２弾性押し付け力成分（Ｂ）を備える。【選択図】図１
2011240143.tif 000002
【特許請求の範囲】
【請求項１】
本体部（１１）とタブ（１２）とを有し、前記タブ（１２）が前記本体部（１１）の面（１６）に面するとともに、前記本体部（１１）に対して拘束される第１端部（１３）と、第２自由端部（１５）とを備えるタイクリップであって、前記タブ（１２）が前記本体部（１１）に向けられる第１弾性押し付け力成分（Ａ）を備えるものにおいて、
別の弾性部材（１８）が前記本体部（１１）の前記面（１６）に拘束され、前記別の弾性部材（１８）が前記タブ（１２）に向けられた第２弾性押し付け力成分（Ｂ）を備えていることを特徴とするタイクリップ。
【請求項２】
請求項１に記載のタイクリップであって、前記別の弾性部材（１８）は、前記本体部（１１）に対して長手方向に延びる弾性ブリッジであり、当該ブリッジは、前記本体部（１１）に固定接続された第１端部（１９）と前記本体部（１１）にスライド可能に拘束された第２端部（２０）とを備える。
【請求項３】
請求項２に記載のタイクリップであって、前記第２端部（２０）は、前記本体部（１１）に形成された横スロット（２４）にスライド可能に挿入される。
【請求項４】
請求項１に記載のタイクリップであって、前記タブ（１２）は、その中心部分において、前記別の弾性部材（１８）の一部分の挿入を許容する長手開口部（２３）を備えている。
【請求項５】
請求項４に記載のタイクリップであって、前記タブ（１２）の前記長手開口部（２３）は、前記別の弾性部材（１８）の前記一部分の幅（ｄ）よりも僅かに大きな幅（Ｄ）を有する。
【請求項６】
請求項２に記載のタイクリップであって、前記別の弾性部材（１８）の、その両端部（１９，２０）の中間の一部分（２１）は、丸みを帯びた複数のクレスト（２２）を備える波形状プロファイルに対応する形状である。
【請求項７】
請求項４又は６に記載のタイクリップであって、前記丸みを帯びた複数のクレスト（２２）は、前記タブ（１２）の前記長手開口部（２３）に挿入可能な前記別の弾性部材（１８）の前記一部分に設けられている。
【請求項８】
請求項４に記載のタイクリップであって、前記タブ（１２）は、その第１拘束端部（１３）よりも前記本体部（１１）の前記面（１６）に近い中間部分（１４）を備え、前記長手開口部（２３）は少なくとも前記中間部分（１４）に設けられている。
【請求項９】
請求項１に記載のタイクリップであって、前記タブ（１２）の前記第２自由端部（１５）は、前記本体部（１１）の前記面（１６）から離間するように向けられている。
【請求項１０】
請求項３に記載のタイクリップであって、前記弾性タブ（１２）及び前記別の弾性部材（１８）は、前記各弾性押し付け力成分（Ａ，Ｂ）に抗して移動可能であり、それにより、前記タブ（１２）は、前記本体部（１１）に拘束されているその第１端部（１３）周りで回転し、前記別の弾性部材（１８）は、前記本体部（１１）に対して鉛直に近づき、この接近運動は、その第２端部（２０）が前記本体部（１１）に設けられた前記横スロット（２４）内で同時にスライドすることによって許容される。
【発明の詳細な説明】
【技術分野】
【０００１】
本発明はタイとシャツとの二つの片を保持するための革新的なシステムを備えるタイクリップに関する。
【背景技術】
【０００２】
従来技術において、様々なタイクリップがある。それらの内で最も広く使用されているのはクランプ式のタイクリップであって、これは、タイの幅広の（最も外側の）片の外側に重ねられるように構成された本体部（一般に、目に見える前面側に良好な美観を備えて設けられる）と、その一方端部がタイクリップの前記本体部に固定され、その中間部、或いはその他端部において、前記本体部自身の後面に対して弾性的に押し付けられて、それ自身とタイクリップの本体部との間において、タイとシャツの一部、即ち、通常は、シャツ自身の前方開口部のへり部分、を保持する弾性タブ、とを有する。
【発明の概要】
【発明が解決しようとする課題】
【０００３】
このタイプのタイクリップには、タイとシャツのへり部分との二つの片が容易に滑り出て、その結果、この衣服用アクセサリが役に立たなくなるという、機能的な限界がある。他方、前記タブのタイクリップ本体部に対する弾性押し付け力を、ある値を超えて増加させることは不可能である。というのは、それによって、このタイクリップ自身を利用することが困難になると同時に、それをタイとシャツとの上に差し込む作業中に生地を傷める虞があるからである。
【０００４】
本発明の一般的な目的は、シャツに対するタイの取り付け機能が改善されたタイクリップを提供することによって上述した問題点を回避することにある。
【課題を解決するための手段】
【０００５】
このような目的に鑑みて、本発明によれば、本体部と弾性タブとを有し、前記弾性タブが前記本体部の面に面するとともに、前記本体部に拘束される第１端部と、第２自由端部とを備えるタイクリップであって、前記タブが前記本体部に向けられる第１弾性押し付け力成分（a first elastic thrust component）を備えるものにおいて、別の弾性部材が前記本体部の前記面に拘束され、前記別の弾性部材が前記タブに向けられた第２弾性押し付け力成分（a second elastic thrust component）を備えていることを特徴とするタイクリップを構成することが考案された。
【図面の簡単な説明】
【０００６】
【図１】本発明のタイクリップの斜視図である。
【図２】図１のタイクリップの後方部分（即ち、弾性保持手段側から）の平面図である。
【図３】前記タイクリップの非使用状態の側方立面図である。
【図４】前記タイクリップの、タイをシャツに固定している状態の側方立面図である。
【発明を実施するための形態】
【０００７】
以後、図面を参照して本発明の革新的な原理と従来技術に対するその利点とを説明するために、その原理を適用した可能な実施例について述べる。
【０００８】
図面を参照すると、図１は、その全体を１０で示すタイクリップを図示し、該タイクリップは、タイの広い（最も外側の）片に外側から重なるように構成された本体部１１と、その第１端部１３でタイクリップの前記本体部１１に接続されている弾性タブ１２とを有する。
【０００９】
好ましくは、前記弾性タブ１２は、図面から明確に理解できるように、前記本体部１１に対して１８０度に折り曲げられた本体部１１の延出部分としての一体片として形成される。前記タブ１２は、図３において矢印Ａによって概略図示されている、タイクリップの前記本体部１１に向けられる、弾性押し付け力成分を備えるように形成される。
【００１０】
前記タブ１２は、更に、前記第１の拘束された端部１３と第２の自由端部１５との間に、前述した第１端部１３に対して前記本体部１１の後面１６により近づく少なくとも一部分１４を備えるように、曲線形状に形成されている。好ましくは、前記タブ１２の第２自由端部１５は、タイとシャツとに対するタイクリップの差し込みを容易にするべく、前記本体部１１の前記後面１６から遠ざかる方向に向けられている。
【００１１】
この説明において、本体部１１の後面１６とは、その使用時において、使用者の胸に向けられるタイクリップの本体部の面を意味する。前記本体部１１は、更に、タイの前で見えるように構成される前面１７を備え、これは通常、美観に優れた仕上げを備えて形成することが可能である。
【００１２】
本発明の革新的原理に拠れば、前記タイクリップ１０は、前記本体部１１の後面１６において、本体部１１に対して長手方向に延びるとともに、その端部１９，２０において前記本体部に固定接続される別の弾性部材又はブリッジ部材１８を備えている。一方、このブリッジ部材１８の中間部分２１は拘束されていない。
【００１３】
前記ブリッジ部材１８は、図３において矢印Ｂによって概略図示されている、タイクリップの前記本体部１１から遠ざかる方向、換言すると、前記弾性タブ１２に向かう方向の、弾性押し付け力成分を有するように付勢装填されている。
【００１４】
好ましくは、前記弾性ブリッジ１８の中間部分２１は、その生地を傷めることなくタイをしっかりとホールドするように、丸みを帯びたクレスト部分（crests）２２を備える波状プロファイルに沿った形状になっている。
【００１５】
更に本発明に拠れば、前記弾性タブ１２は、その中央部分に、前記弾性ブリッジ部材１８の一部分の挿入を可能するための長手開口部２３を備えている。好ましくは、前記開口部２３は、少なくとも、前記弾性タブ１２の前記本体部１１の後面１６に近い中間部分１４に設けられる。図２に明確に見られるように、前記開口部２３は、前記ブリッジ部材１８の幅”ｄ”よりも僅かに大きな幅”Ｄ”を有する。
【００１６】
一好適実施例に拠れば、前記ブリッジ１８は、タイクリップの本体部１１に固定接続（或いは、溶接などによって固定状態に拘束）されている端部１９を有するのに対して、反対側の端部２０は、好ましくは、本体部１１に設けられた横スリット２４への挿入によって、スライド可能に拘束され、後述するように、前記ブリッジ自身がその使用時に受ける弾性変形を吸収するのに適するべく、本体部１１に対するブリッジ１８の端部２０の長手移動を可能にする。
【００１７】
図３は、タイに対する差し込みの前の非使用状態にあるタイクリップを図示している。この状態において、それぞれ互いに対して向けられるタブ１２の弾性押し付け力成分（矢印Ａ）とブリッジ１８の弾性押し付け力成分（矢印Ｂ）とによって、タブ１２がタイクリップの本体部１１の後面１６に近い位置に保持されるとともに、ブリッジ１８は前記後面１６から離間した位置に保持される。
【００１８】
好ましくは、前記長手開口部２３が設けられていることにより、前記ブリッジ１８、少なくとも部分的には、その中間部分２１と相対的クレスト部分２２は、タブ１２内部においてブリッジとタブとが実質的「並置状態」となるように挿入可能である。この状況は図３に明確に図示されている。
【００１９】
具体的には、前記ブリッジ１８とタブ１２とのこの「並置状態」は、ブリッジの中間部分２１の前記クレスト部分２２がタブ自身を僅かに超えて前記開口部２３を通って突出する状態である。
【００２０】
図４は、タイ２５に対して適用されたタイクリップを図示している。具体的には、図４において、その断面において、タイ２５の幅広ストリップ（又は外側ストリップ）２６と幅狭ストリップ（又は内側ストリップ）２７と、それに対してタイを固定させる必要のあるシャツ２８の一部分、一般的には、シャツ自身の前方開口物のへり部分、とが見てとれる。
【００２１】
前記タイクリップをタイ上の位置に差し込むと、タイの生地の厚みと、シャツの厚みとによって、弾性タブ１２と弾性ブリッジ１８とが、各弾性押し付け力成分Ａ及びＢに抗して互いに対して離間するように押される。この段階において、タブ１２には、実質的に、タイクリップの本体部１１に固定接続されているその端部１３周りでの回転運動を受け、他方、ブリッジ１８は、それに対して鉛直な方向に沿って本体部１１に近づき、それによって当該ブリッジ１８が図３の状態にある時に有していた本体部１１から突出した弓形状に対して、自身を真っ直ぐにする。このブリッジ１８の「直線化」は、そのサイズをタイクリップの本体部の長手方向において僅かに増大させる効果を有するが、この増大は、ブリッジの端部２０が前記スロット２４内においてスライド可能であることによって相殺される。
【００２２】
図４の状態において、タイと、シャツのへり部は、より詳しくは、ブリッジ１８の中間部分２１（特に、丸みを帯びたクレスト部分２２）と接触しているタイの幅広ストリップ２６と、タブ１２の中間部分１４と接触しているシャツ２８のへり部と、幅広ストリップ２６とシャツ２８のへり部との間に位置するタイの幅狭ストリップ２７とによって、各弾性力Ａ及びＢによって、弾性タブ１２とブリッジ１８との間にクランプされたまま留まる。
【００２３】
タイとシャツのへり部とが弾性タブとタイクリップのリジッドな本体部との間でクランプされて、それにより生地が本体部自身に向けられる単一の弾性押し付け力成分を受けていた従来技術のクランプ式クリップと違い、本発明のタイクリップにおいては、生地を保持するのに必要な押し付け力を、それぞれ互いに対して向けられる二つの力成分（それぞれ、タブ１２とブリッジ１８とによって生成される）に分割することができ、このことと、生地に対するブリッジの保持部分を構成する前記クレスト部分２２の丸みを帯びた形状とによって、生地に対して過度に応力を与えることなく、タイとシャツとをしっかり保持することができる。事実、前記ブリッジ１８の波状プロファイルによって、生地がそのような波形状に部分的に追従することができ、それによって生地に対する張力を低減させるようにすることが確実に可能となる。
【００２４】
この時点において、初期の目的、即ち、生地を傷つける虞無く、タイのシャツに対する確実な取り付けを可能にするタイクリップを提供するという目的が達成されたことが明らかである。
【００２５】
勿論、本発明の革新的原理を適用する実施例に関する以上の説明はそのような革新的原理の一例として提供されたものに過ぎず、従って、それはクレームされている保護範囲を限定するものと解釈されてはならない。
【００２６】
例えば、前記タイクリップを構成する諸部材の正確な構成は、例えば所望の特定の美的解決構成によってさえも、図示したものと、異なったものとすることができる。
【００２７】
更に、前記弾性タブ１２に、僅かに可塑変形性を備えさせることも可能であり、その場合、例えば、図３の「静止」状態におけるタイクリップの本体部１１からのタブ１２の実際の距離を調節するために、そして、それによって、指で押さえることによって、タイに付与される実際の弾性力を調節することが可能となる。
【図１】
2011240143.tif 000003
【図２】
2011240143.tif 000004
【図３】
2011240143.tif 000005
【図４】
2011240143.tif 000006
【外国語明細書】
2011240143000001.pdf
2011240143000002.pdf
2011240143000003.pdf
2011240143000004.pdf